(57)【要約】      （修正有）【課題】子供用の靴の前部開口部を締着するストラップに指掛けタブを設け、開き易くしたストラップを提供する。【解決手段】甲部に足側から延長する開口部を設け、開口部の一方の縁部５側の甲部の外面に第一の面ファスナー１７を設けたストラップ９の一端部１５を固定し、ストラップ９の帯部１９を他方の縁部５’に設けた一対のスロット２５に挿通させて折り返し、その自由端側に前記面ファスナー１７に対向する第二の面ファスナー２３を設けた靴において、ストラップ９の帯部１９をスロット２５内で引きやすくする指掛けタブ３１を設ける。【選択図】図３
0003160925.tif 000002
【実用新案登録請求の範囲】
【請求項１】
甲部に足側から延長する開口部を設け、開口部の一方の縁部側の甲部の外面に第一の面ファスナーを設けたストラップの一端部を固定し、ストラップの帯部を他方の縁部に設けたスロットに挿通させて折り返し、その自由端側に前記第一の面ファスナーに対向する第二の面ファスナーを設けた、靴の締着用ストラップ構造において、
前記第一の面ファスナーと前記スロットとの間の箇所において前記ストラップの帯部に指掛けタブを設けたことを特徴とする靴の締着用ストラップ構造。
【請求項２】
甲部に足側から延長する開口部を設け、開口部の一方の縁部側の甲部の外面に第一の面ファスナーを設けたストラップの一端部を固定し、ストラップの一対の帯部を他方の縁部に設けた一対のスロットに挿通させて折り返し、その自由端側に前記面ファスナーに対向する第二の面ファスナーを設けた、靴の締着用ストラップ構造において、
前記第一の面ファスナーと前記スロットとの間の箇所において前記ストラップの一対の帯部に指掛けタブの両端をそれぞれ固定した請求項１に記載のストラップ構造。
【請求項３】
前記指掛けタブの形状を短冊状に形成し、中間部を盛り上げて浮かせた請求項２に記載のストラップ構造。
【請求項４】
指掛けタブの形状をＵ字形に形成して、その端部をスロット側に形成し、指掛け部を面ファスナー側に形成した請求項２に記載のストラップ構造。
【請求項５】
指掛けタブの形状を中間に指つまみフラップを有する形に形成し、両端部をそれぞれの帯部に固定した請求項２に記載のストラップ構造。
【請求項６】
甲部に足側から延長する開口部を設け、開口部の一方の縁部側の甲部の外面に、第一の面ファスナーを設けた単一のストラップの一端部を固定し、ストラップの単一の帯部を他方の縁部に設けたスロットに挿通させて折り返し、その自由端側に前記面ファスナーに対向する第二の面ファスナーを設けた、靴の締着用ストラップ構造において、
前記第一の面ファスナーと前記スロットとの間の箇所において前記ストラップの帯部に指掛けタブを設けたことを特徴とする請求項１に記載のストラップ構造。
【請求項７】
前記タブを短冊状に形成し、その両端をストラップの長さ方向に並ぶように配置し、中間部を浮かせて指掛け部を構成した請求項６に記載のストラップ構造。
【請求項８】
前記タブの指掛け部がスロットの方を向くようにした請求項６に記載のストラップ構造。
【請求項９】
前記タブの指掛け部がスロットとは逆の方向に向くようにした請求項６に記載のストラップ構造。
【請求項１０】
前記ストラップ構造を一対並列して設けた請求項６〜９の何れか一項に記載のストラップ構造。
【請求項１１】
第二の面ファスナーは、スロットを貫通するようにストラップの帯部に設けられる請求項１〜１０のいずれか一項に記載のストラップ構造。
【考案の詳細な説明】
【技術分野】
【０００１】
本考案は靴、特に子供靴の折り返しストラップを容易に緩めることができる指掛けタブに関する。
【背景技術】
【０００２】
子供靴などによく見られる、甲部に取り付けた面ファスナーとストラップに取り付けた面ファスナーとの組合せを使用したストラップによる足の甲部の調節機能のある靴のうち、靴の外側→内側→外側と折り返す構造のストラップのものは、面ファスナーの固着部がずれることがなく、より高いホールド性を得ることができる。
【０００３】
この構造の一例を図１と図２により説明すると、甲部３に足側から延長する開口部を設け、その内側にタン７を設けた靴において、開口部の一方の縁部５側の甲部の外面に、面ファスナー１７を設けたストラップ９の一端部１５を固定し、ストラップ９の帯部１９、１９を開口部の他方の縁部５’に設けたスロット２５、２５に挿通させ、ストラップ９の自由端２１の側に面ファスナー２３を設けたものである。靴を足に固定するには、ストラップ９を縁部５’で折り返し、自由端２１側の面ファスナー２３を、甲部側の面ファスナー１７に押しつける。これにより、靴の足への着脱が容易となり、また上に述べた良好なホールド性が得られる。
【考案の概要】
【考案が解決しようとする課題】
【０００４】
この形式の靴は、主な使用者が子供などとなる為、設計上、そのスムースさが問われることが多い。すなわち、靴の前部を開く際のスムースさは、スロット２５、２５の厚み及び幅とストラップの帯部１９、１９の厚み及び幅との関係が適正であり、締着時にはスロット２５の縁部とストラップの帯部１９との間に適当な摩擦が生じて面ファスナー２３が緩んだ時でもある程度のホールド性が得られるとともに、靴を脱ぐ際にストラップが比較的容易にスロット内をスライドできることが重要となるが、使用者がストラップを開く際の開き方（開く動作の方向）により、開口部とストラップの寸法関係が良好であっても、スムースに動くべきストラップが開口部に対して斜めの状態になり、引っかかりを生じる問題がある。
そこで、本考案は、使用者がストラップを正しい方向へ移動させて、スムースにストラップを開く動作をしやすいような補助パーツとして指掛けタブを提案することをその目的とする。
【課題を解決するための手段】
【０００５】
本考案は、
（１）甲部に足側から延長する開口部を設け、開口部の一方の縁部側の甲部の外面に第一の面ファスナーを設けたストラップの一端部を固定し、ストラップの帯部を他方の縁部に設けたスロットに挿通させて折り返し、その自由端側に前記第一の面ファスナーに対向する第二の面ファスナーを設けた、靴の締着用ストラップ構造において、
前記第一の面ファスナーと前記スロットとの間の箇所において前記ストラップの帯部に指掛けタブを設けたことを特徴とする靴の締着用ストラップ構造を提供する。
【０００６】
本考案の実施形態に次のものが可能である。
（２）甲部に足側から延長する開口部を設け、開口部の一方の縁部側の甲部の外面に第一の面ファスナーを設けたストラップの一端部を固定し、ストラップの一対の帯部を他方の縁部に設けた一対のスロットに挿通させて折り返し、その自由端側に前記面ファスナーに対向する第二の面ファスナーを設けた、靴の締着用ストラップ構造において（図１〜２）、
前記第一の面ファスナーと前記スロットとの間の箇所において前記ストラップの一対の帯部に指掛けタブの両端をそれぞれ固定した靴の締着用ストラップ構造。
（２−１）この場合（２）において、指掛けタブの形状を短冊状に形成し、中間部を浮かせて盛り上げる。この例の指掛けタブは操作がしやすい（図３）。
（２−２）この場合（２）において、指掛けタブの形状をＵ字形に形成して、その端部をスロット側に形成し、指掛け部を面ファスナー側に形成する。この構成は指掛けが容易であるのでベストモードであると考えられる（図４）。
（２−３）この場合（２）において、指掛けタブの形状を中間に指つまみフラップを有する形に形成し、両端部をそれぞれの帯部に固定し、中間部をスロットとは逆方向に引くことができるようにする（図５）。
【０００７】
本考案の他の実施形態には次の構造がある。
（３）甲部に足側から延長する開口部を設け、開口部の一方の縁部側の甲部の外面に、第一の面ファスナーを設けた単一のストラップの一端部を固定し、ストラップの単一の帯部を他方の縁部に設けたスロットに挿通させて折り返し、その自由端側に前記面ファスナーに対向する第二の面ファスナーを設けた、靴の締着用ストラップ構造において（図６）、
前記第一の面ファスナーと前記スロットとの間の箇所において前記ストラップの帯部に指掛けタブを設けたことを特徴とする靴の締着用ストラップ構造。
（３−１）この場合（３）において、指掛けタブを短冊状に形成し、その両端をストラップの長さ方向に並ぶように配置して固定し、中間部を浮かせて指掛け部に指を掛けやすくする（図７）。
（３−２）この場合（３）において、前記タブを二つ折りにした短冊状に形成しその指掛け部がスロットの方を向くようにする。これによりタブを引き起こして把持できる部分を大きくできる（図８）。
（３−３）この場合（３）において、前記タブを二つ折りにした短冊状に形成しその指掛け部がスロットとは逆の方向に向くようにすることも可能である（図９）。
【０００８】
（４）上記（３）の構造を二本の独立したストラップを並列し、そして上記（３−１）〜（３−３）の構造を採用することも可能である。ただし、上記実施例に比して構造が複雑となり余分な操作が必要になる（図１０）。
【考案の効果】
【０００９】
本考案によると、折り返しストラップの内側に、ストラップを開口部に対して垂直方向に容易に引くことができるよう、指でつまんだり、引いたりすることを補助するパーツを縫製または接着などで取り付け、使用者の動作を容易にすることができる。甲部のホールド性のより高い折り返し構造の面ファスナー付きのストラップ構造において懸念される、使用者の動作の方向の差によるストラップの開きづらさを防ぎ、使用者がスムースに折り返しストラップを開くことを可能とする。
【図面の簡単な説明】
【００１０】
【図１】本考案が適用される一つの形態のストラップを有する靴の一例を示す。
【図２】従来例によるストラップを有する靴の一部を示す斜視図である。
【図３】本考案の第１の実施例によるストラップを有する靴の一部を示す斜視図である。
【図４】本考案の第２の実施例によるストラップを有する靴の一部を示す斜視図である。
【図５】本考案の第３の実施例によるストラップを有する靴の一部を示す斜視図である。
【図６】本考案が適用される第２の形態のストラップを有する靴の一例を示す。
【図７】本考案の第４の実施例によるストラップを有する靴の一部を示す斜視図である。
【図８】本考案の第５の実施例によるストラップを有する靴の一部を示す斜視図である。
【図９】本考案の第６の実施例によるストラップを有する靴の一部を示す斜視図である。
【図１０】本考案が適用される第３の形態のストラップを有する靴の一例を示す。
【図１１】好ましい第二の面ファスナーを有するストラップの一例を示す。
【考案を実施するための形態】
【００１１】
以下本考案の実施例を図面を参照して詳しく説明する。
本考案は、一般に図１、６、１０に示したように、甲部３に足側から前方に延長する開口部を設け、開口部の一方の縁部５側の甲部の外面に、図２に示したように、第一の面ファスナー１７を設けたストラップ９の一端部１５を固定し、ストラップ９の帯部１９を他方の縁部５’に設けたスロット２５に挿通させて折り返し、ストラップの自由端側に前記面ファスナー１７に対向する第二の面ファスナー２３を設けた形態の靴の締着用ストラップ構造の改良に関する。
【実施例】
【００１２】
実施例１
図１は本考案の好ましい実施例を適用するストラップ構造を有する靴を示し、図３は図１の靴に適用される補助タブを例示する。
図１〜２に示したように、この実施例では甲部３には足側から前方に延長する開口部を設け、開口部の一方の縁部５側の甲部の外面に第一の面ファスナー１７を設けたストラップ９の一端部１５を固定し、ストラップ９の一対の帯部１９、１９を他方の縁部５’に設けた一対のスロット２５、２５に挿通させて折り返し、その自由端側に前記面ファスナー１７に対向する第二の面ファスナー２３を設けた靴を改良して、補助タブである指掛けタブを設ける。
図３は図１の形態のストラップを有する靴に適用される他の実施例を示す。この例では、図２に関して説明した構造のストラップ９に、本実施例の指掛けタブ３１を設ける。指掛けタブ３１の形状を短冊状に形成し、中間部３２を浮かせて盛り上げた状態で指掛けタブ３１の両端をストラップの両帯部１９、１９に固定する。この例はタブの操作がしやすい。
なお第二の面ファスナー２３が図１１のようにスロット２５、２５を貫通するようにストラップの両帯部１９、１９に設けることが好ましく、こうすれば第二の面ファスナー２３の内端部がストラップを緩める際にスロットに引っかからない。他の実施例も同様でよい。
【００１３】
実施例２
図４は他の実施例を示し、指掛けタブ２７の形状をＵ字形に形成し、その両端部２９、２９をスロット２５、２５の側に向けた状態でそれぞれの帯部１９、１９に固定し、指掛け部３０を面ファスナー側に形成する。指掛け部３０は折り曲げ部で両端部２９、２９の上に重なるようにする。これにより指掛け部３０に指をかけ易くなり優れた操作性が得られる。
【００１４】
実施例３
図５は図１の形態のストラップを有する靴に適用されるさらに他の実施例を示す。この例では、図２で説明した構造のストラップ９に、本実施例の指掛け部を設ける。指掛けタブ３３の形状を中間に指つまみフラップ３５を有する形に形成し、両端をストラップの両帯部１９、１９に固定し、フラップ３５をスロットとは逆方向に引くことができるようにする。
【００１５】
実施例４
この実施例は単一ストラップを使用する靴に適用する例である。
図６〜７を参照すると、甲部３に足側から前方に延長する開口部を設け、開口部の一方の縁部５側の甲部の外面に、第一の面ファスナー１７を設けた単一のストラップ１１の一端部１５を固定し、ストラップ１１の単一の帯部１９を他方の縁部５’に設けたスロット２５に挿通させて折り返し、その自由端側に前記面ファスナー１７に対向する第二の面ファスナー２３を設けた、靴の締着用ストラップ構造において、第一の面ファスナー１７とスロット２５との間の位置で、短冊状に形成した指掛けタブ３９の両端をストラップの長さ方向に並ぶように配置し、中間部を浮かせた状態で両端を固定し、中間部を指掛け部４０とする。これにより指を掛けやすくする。
【００１６】
実施例５
図８を参照するに、図７と同様な単一ストラップを有する靴のストラップにおいて、指掛けタブ３６を二つ折りのタブで構成し、フラップ３５がスロット２５の方を向くようにする（図８）。この例では、タブを引き起こして把持できる部分を大きくできる。
【００１７】
実施例６
図９を参照すると、指掛けタブ３７の指掛け部３８がスロット２５とは逆の方向に向くようにする（図９）。
【００１８】
実施例７
図１０は二本のストラップが独立に設けられたストラップ構造を有する例である。上記実施例４〜６の構造を有するストラップ１３を二本並列した構造を採用することも可能である。ただし、上記実施例に比して構造が若干複雑となるが、操作性は従来より向上する。
【符号の説明】
【００１９】
１  靴
３  甲部
５、５’開口部の縁部
７  タン
９、１１、１３  ストラップ
１５  一端部
１７  固定側の面ファスナー
１９  ストラップの帯部
２１  ストラップの自由端
２３  第二の面ファスナー
２５  開口部５’に設けたスロット
２７  指掛けタブ
２９  タブの両端部
３０  タブの指掛け部
３３  指掛けタブ
３５  指つまみフラップ
３６  指掛けタブ
３７  指掛けタブ
３９  指掛けタブ
４０  タブの指掛け部
【図１】
0003160925.tif 000003
【図２】
0003160925.tif 000004
【図３】
0003160925.tif 000005
【図４】
0003160925.tif 000006
【図５】
0003160925.tif 000007
【図６】
0003160925.tif 000008
【図７】
0003160925.tif 000009
【図８】
0003160925.tif 000010
【図９】
0003160925.tif 000011
【図１０】
0003160925.tif 000012
【図１１】
0003160925.tif 000013
【手続補正書】
【提出日】平成22年5月10日(2010.5.10)
【手続補正１】
【補正対象書類名】実用新案登録請求の範囲
【補正対象項目名】全文
【補正方法】変更
【補正の内容】
【実用新案登録請求の範囲】
【請求項１】
甲部に足側から延長する開口部を設け、開口部の一方の縁部側の甲部の外面に第一の面ファスナーを設けたストラップの一端部を固定し、ストラップの帯部を他方の縁部に設けたスロットに挿通させて折り返し、その自由端側に前記第一の面ファスナーに対向する第二の面ファスナーを設けた、靴の締着用ストラップ構造において、
前記第一の面ファスナーと前記スロットとの間の箇所において前記ストラップの帯部に指掛けタブを設けたことを特徴とする靴の締着用ストラップ構造。
【請求項２】
甲部に足側から延長する開口部を設け、開口部の一方の縁部側の甲部の外面に第一の面ファスナーを設けたストラップの一端部を固定し、ストラップの一対の帯部を他方の縁部に設けた一対のスロットに挿通させて折り返し、その自由端側に前記第一の面ファスナーに対向する第二の面ファスナーを設けた、靴の締着用ストラップ構造において、
前記第一の面ファスナーと前記スロットとの間の箇所において前記ストラップの一対の帯部に指掛けタブの両端をそれぞれ固定した請求項１に記載のストラップ構造。
【請求項３】
前記指掛けタブの形状を短冊状に形成し、中間部を盛り上げて浮かせた請求項２に記載のストラップ構造。
【請求項４】
指掛けタブの形状をＵ字形に形成して、その端部をスロット側に形成し、指掛け部を面ファスナー側に形成した請求項２に記載のストラップ構造。
【請求項５】
指掛けタブの形状を中間に指つまみフラップを有する形に形成し、両端部をそれぞれの帯部に固定した請求項２に記載のストラップ構造。
【請求項６】
甲部に足側から延長する開口部を設け、開口部の一方の縁部側の甲部の外面に、第一の面ファスナーを設けた単一のストラップの一端部を固定し、ストラップの単一の帯部を他方の縁部に設けたスロットに挿通させて折り返し、その自由端側に前記第一の面ファスナーに対向する第二の面ファスナーを設けた、靴の締着用ストラップ構造において、
前記第一の面ファスナーと前記スロットとの間の箇所において前記ストラップの帯部に指掛けタブを設けたことを特徴とする請求項１に記載のストラップ構造。
【請求項７】
前記タブを短冊状に形成し、その両端をストラップの長さ方向に並ぶように配置し、中間部を浮かせて指掛け部を構成した請求項６に記載のストラップ構造。
【請求項８】
前記タブの指掛け部がスロットの方を向くようにした請求項６に記載のストラップ構造。
【請求項９】
前記タブの指掛け部がスロットとは逆の方向に向くようにした請求項６に記載のストラップ構造。
【請求項１０】
前記ストラップ構造を一対並列して設けた請求項６〜９の何れか一項に記載のストラップ構造。
【請求項１１】
第二の面ファスナーは、スロットを貫通するようにストラップの帯部に設けられる請求項１〜１０のいずれか一項に記載のストラップ構造。